(57)【特許請求の範囲】
【請求項１】
ダクトから送られる温度調節された空調空気によって温められまたは冷やされた吹出口表面からの輻射熱を利用した輻射方式空調および吹き出された空調空気により対流方式空調を併せ持って行う空気式輻射空調装置であって、
下面が開放され、上面（２１）にダクトに接続されるダクト接続部（２２）が設けられた直方体のチャンバーボックス（２）と、
前記チャンバーボックス（２）の開放された下面を塞ぐように該チャンバーボックスに定着されて空調空気及びその輻射熱を放出する輻射パネル本体（３）と、
前記チャンバーボックス（２）内に設けられた整流板（４）とからなり、
前記輻射パネル本体（３）が、前記チャンバーボックス（２）の下面を塞ぐ四辺形の底板（３１）と、該底板（３１）の四辺に接して、前記底板（３１）に対し４５〜９０度の角度をもって立設された側板（３２）とで形成され、
前記側板（３２）にチャンバーボックス（２）内の空調空気を側方に流出させるスリット（３３）が設けられ、前記輻射パネル本体（３）の底板（３１）が、相対する２辺近傍の限定された部分にのみ空調空気の吹出孔（３４）を設けることで、スリット（３３）から吹き出された空調空気により底板（３１）の吹出孔（３４）から吹き出される空調空気が前記輻射パネル本体(３)の外側へ誘引され、斜め下方外向きに吹き出されることを特徴とする空気式輻射空調装置。
【請求項２】
前記輻射パネル本体（３）の四辺形の底板（３１）が長方形で形成されている場合、前記空調空気の吹出孔（３４）を設ける前記相対する２辺近傍の限定された部分は、相対する長辺に沿った所定幅の帯状部分で、該所定幅は短辺の幅の１５％〜２５％であることを特徴とする請求項１に記載の空気式輻射空調装置。
【請求項３】
前記整流板（４）が、前記ダクト接続部（２２）の導入口（２３）の面積より大きく構成された、底面を前記チャンバーボックス下面側へ向けた四角錐からなり、前記チャンバーボックス（２）内に前記整流板（４）の配置位置の高さの調整手段又は回転角度の調整手段の少なくとも一方を介して設けられてなることを特徴とする請求項１又２に記載の空気式輻射空調装置。
【請求項４】
前記請求項１〜３のいずれかに記載の空気式輻射空調装置を、室内に設置されるベッドの上部に配置し、空調機（９２）にダクトで接続する空気式輻射空調システムにおいて、
前記吹出孔（３４）からの空調空気を、前記スリット（３３）からの気流に誘引させ斜め下方に流し、前記空気式輻射空調装置の真下方向への流出を少なくすることで、ベッド上に横たわる人へのドラフトを防止しながら空調することを特徴とする空気式輻射空調システム。
【発明の詳細な説明】
【技術分野】
【０００１】
本発明は、空調装置に係り、輻射熱を利用した輻射方式と対流方式とを併せ持った空気式輻射空調装置に関する。
【背景技術】
【０００２】
近年、複数の患者が入院する病室は４人部屋（いわゆる多床室）で設計されることが主流であり、該病室における空調機は、その吹出口がベッドの真上を避けるように配置され、空調空気を部屋全体に行き渡らせている。
しかし、空調機から吹出される気流が、強い風速で患者にあたることがあり、患者に不快感を与えてしまうという問題がある。このような空調機から吹出される気流が人体に直接あたることによって生じる不快感は、ドラフトと呼ばれ、空衛便覧（空気調和・衛生工学便覧）によると、空調気流の風速が０．１５ｍ／ｓを超えると不快に感じることが多いとされている。
そのために、ドラフトを避けつつ、空調機から吹出される空調空気を部屋全体に行き渡らせるため、空調空気を天井に沿わせるように設定されている。
【０００３】
しかし、空気調和において、温度調節された空調空気を送風する対流方式による方法では、積極的に空気を送らないと均一な空調が図れないため、どうしても気流が大きくなり居室内にいる人に不快感を与えてしまい、ドラフトを抑制することは難しい。
また、輻射熱を利用した輻射方式は、送風がなくドラフトは抑制できるが、冷暖房能力が低く、また熱媒体として冷温水を使用するため、漏水のおそれがあり、病院等では採用されにくい。
そこで、問題を解消するため輻射熱を利用した輻射方式と対流方式とを併せ持った空気式輻射空調方式が知られている。
【０００４】
例えば、特許文献１では、図１１（ａ）、（ｂ）に示すように、病院室等の被空調室内の冷暖房を、輻射原理により行う空調システムとして、床側に凸の湾曲形状に構成した輻射膜部材１０１を備えた輻射放熱体１０２と、該輻射放熱体１０２の上側に配設され、該輻射放熱体１０２と一体として天井設置部材に取り付けるための天井取付部材１０３により囲まれる空間（以下、放熱空間）に空調機（図示せず）からからダクト（図示せず）を通りダクト接続部１０４からチャンバー本体１０５に流入した空気を通気部１０６により放熱空間に導き、輻射膜部材１０１に設けられた通気孔１０１ａから空気を下方に吹出すことで、被空調室内に流出（供給）させる技術が開示されている。（特許文献１）。
【０００５】
また、特許文献２では、図１２に示すように、略箱型で、ダクト１１０が接続されるダクト接続部１０４が背面１１１側に設けられ、ダクト接続部１０４に対向する面である輻射パネル１１２に、空調空気を外部に流出させる吹出孔１１２ａが複数形成された輻射面部１１３と、空調空気を外部に吹出す吹出口１１２ｂとが設けられたパネル本体１１４と、輻射面部１１３に対向してパネル本体１１４内に設けられ、多孔質で空調空気の流れを抑制して、空調空気を各吹出孔１１２ａから均等に流出させる多孔質体１１６と、吹出口１１２ｂを開閉するダンパ１１７とを備え、空調機（図示せず）からからダクト１１０を通りダクト接続部１０４からパネル本体１１４に流入した空調空気を多孔質体１１６により流れを抑制して、各吹出孔１１２ａから均等に流出させる技術が開示されている（特許文献２）。
【０００６】
さらに、特許文献３では、図１３に示すように、天井吹出しチャンバーボックス１１４内に、潜熱蓄熱材１１８を密封して内包した潜熱蓄熱材内包材１１９を配設し、ヒートポンプエアコン（図示せず）で生成された冷風または温風をダクト１１０から天井吹出しチャンバーボックス１１４内に送り、前記潜熱蓄熱材１１８を冷却または加温して蓄熱することにより、該冷却または加温された潜熱蓄熱材１１８を補助熱源として金属製パネル１１２を冷却または加温して、該金属製パネル１１２に穿設した多数の通気小孔１１２ａから冷気または暖気を室内に放射する技術が開示されている（特許文献３）。
【０００７】
しかし、上記特許文献１に記載の発明は、ダクト接続部１０４からチャンバー本体１０５に流入した空気を通気部１０６により放熱空間に導き、該空気を輻射膜部材１０１の通気孔１０１ａから下方に吹出すことで、被空調室内に流出（供給）しているため、通気部１０６から下方に吹き出される気流の風速は均一ではなく一部が輻射膜部材１０１を通り抜けそのまま下方へ流出してドラフトが発生してしまう。
また、上記特許文献２に記載の発明は、ダクト接続部１０４からパネル本体１１４内に流入した空調空気がパネル本体１１４内に設けられた多孔質体１１６により流れを抑制され、各吹出孔１１２ａから均等に流出させているため、圧力損失が高くなり運転コストの負担が著しく大きくなる。
さらに、上記特許文献３に記載の発明は、ダクト接続部１０４からチャンバーボックス１１４内に送り込まれた調整空気が、潜熱蓄熱材内包材１１９に当たり水平方向に向きを変えながら該潜熱蓄熱材内包材１１９下面に流れて中央側に引き込まれて集まって金属製パネル１１２に穿設した多数の通気小孔１１２ａから吹き出すため、縮流となり、ドラフトが発生してしまう。
【先行技術文献】
【特許文献】
【０００８】
【特許文献１】特開２０１４−１３４３０１号公報
【特許文献２】特開２０１２−９３０４３号公報
【特許文献３】特開２０１４−４０９５１号公報
【発明の概要】
【発明が解決しようとする課題】
【０００９】
本発明は、上記問題を考慮して、室内（病室）の空調効果を達成するとともに、ベッドで寝ている入院患者が空調の吹出口から受けるドラフトを防止することができる空気式輻射空調装置を提供することを目的とする。
【課題を解決するための手段】
【００１０】
本発明者らは上記課題を下記の手段により解決した。
（１）ダクトから送られる温度調節された空調空気によって温められまたは冷やされた吹出口表面からの輻射熱を利用した輻射方式空調および吹き出された空調空気により対流方式空調を併せ持って行う空気式輻射空調装置であって、
下面が開放され、上面（２１）にダクトに接続されるダクト接続部（２２）が設けられた直方体のチャンバーボックス（２）と、
前記チャンバーボックス（２）の開放された下面を塞ぐように該チャンバーボックスに定着されて空調空気及びその輻射熱を放出する輻射パネル本体（３）と、
前記チャンバーボックス（２）内に設けられた整流板（４）とからなり、
前記輻射パネル本体（３）が、前記チャンバーボックス（２）の下面を塞ぐ四辺形の底板（３１）と、該底板（３１）の四辺に接して、前記底板（３１）に対し４５〜９０度の角度をもって立設された側板（３２）とで形成され、
前記側板（３２）にチャンバーボックス（２）内の空調空気を側方に流出させるスリット（３３）が設けられ、前記輻射パネル本体（３）の底板（３１）が、相対する２辺近傍の限定された部分にのみ空調空気の吹出孔（３４）を設けることで、スリット（３３）から吹き出された空調空気により底板（３１）の吹出孔（３４）から吹き出される空調空気が前記輻射パネル本体(３)の外側へ誘引され、斜め下方外向きに吹き出されることを特徴とする空気式輻射空調装置。
（２）前記輻射パネル本体（３）の四辺形の底板（３１）が長方形で形成されている場合、前記空調空気の吹出孔（３４）を設ける前記相対する２辺近傍の限定された部分は、相対する長辺に沿った所定幅の帯状部分で、該所定幅は短辺の幅の１５％〜２５％であることを特徴とする前記（１）に記載の空気式輻射空調装置。
（３）前記整流板（４）が、前記ダクト接続部（２２）の導入口（２３）の面積より大きく構成された、底面を前記チャンバーボックス下面側へ向けた四角錐からなり、前記チャンバーボックス（２）内に前記整流板（４）の配置位置の高さの調整手段又は回転角度の調整手段の少なくとも一方を介して設けられてなることを特徴とする前記（１）又は（２）に記載の空気式輻射空調装置。
（４）前記（１）〜（３）のいずれかに記載の空気式輻射空調装置を、室内に設置されるベッドの上部に配置し、空調機（９２）にダクトで接続する空気式輻射空調システムにおいて、
前記吹出孔（３４）からの空調空気を、前記スリット（３３）からの気流に誘引させ斜め下方に流し、前記空気式輻射空調装置の真下方向への流出を少なくすることで、ベッド上に横たわる人へのドラフトを防止しながら空調することを特徴とする空気式輻射空調システム。
【発明の効果】
【００１１】
本発明の空気式輻射空調装置及び空気式輻射空調システムにより下記の効果が発揮される。
（１）本発明はダクトから送られる温度調節された空調空気によって温められまたは冷やされた吹出口表面からの輻射熱を利用した輻射方式空調および吹き出された空調空気により対流方式空調を併せ持って行う空気式輻射空調装置であって、
下面が開放され、上面にダクトに接続されるダクト接続部が設けられた直方体のチャンバーボックスと、前記チャンバーボックスの開放された下面を塞ぐように該チャンバーボックスに定着されて空調空気及びその輻射熱を放出する輻射パネル本体と、前記チャンバーボックス内に設けられた整流板とからなり、
前記輻射パネル本体が、前記チャンバーボックスの下面を塞ぐ四辺形の底板と、該底板の四辺に接して、前記底板に対し４５〜９０度の角度をもって立設された側板とで形成され、
前記側板にチャンバーボックス内の空調空気を側方に流出させるスリットが設けられ、前記輻射パネル本体の底板が、相対する２辺近傍の限定された部分にのみ空調空気の吹出孔を設けることで、スリットから吹き出された空調空気により底板の吹出孔から吹き出される空調空気が前記輻射パネル本体の外側へ誘引され、斜め下方外向きに吹き出されるので、
空調機からダクトを通りダクト接続部の吹出口からチャンバーボックスに流入した空調空気が、整流板にぶつかり直接輻射パネル本体の底板に流れることが無くドラフトの発生を抑止できるとともに、
前記側板に設けられているスリットからの気流によって、底板の２辺近傍の限定された部分に設けられた吹出孔から下方に吹出される空調空気がスリット側に誘引され、より早い速度で斜め下方外向きに吹出され、ベッドの外側に流れ出てベッド上の患者のドラフトを防止することができる。また、底板の２辺近傍の限定された部分以外には吹出孔が設けられていないので、ベッド上の患者のドラフトを確実に防止することができる。
これにより、空調装置の下に設置されたベッド上の患者に直接強い気流が当たることなく、心地良い空調空気を届けることができる。
（２）また前記輻射パネル本体の四辺形の底板が長方形で形成されている場合、前記空調空気の吹出孔を設ける前記相対する２辺近傍の限定された部分は、相対する長辺に沿った所定幅の帯状部分で、該所定幅は短辺の幅の１５％〜２５％であるので、前記側板に設けられているスリットからの気流によって、底板の２辺近傍の限定された部分に設けられた吹出孔から下方に吹出される空調空気がスリット側に誘引され、より早い速度で斜め下方外向きに吹出され、ベッドの外側に流れ出てベッド上の患者のドラフトを防止することができる。
また、底板の２辺近傍の限定された部分以外には吹出孔が設けられていないので、ベッド上の患者のドラフトを確実に防止することができる。
【００１２】
（３）さらに前記整流板が、前記ダクト接続部の導入口の面積より大きく構成された、底面を前記チャンバーボックス下面側へ向けた四角錐からなり、前記チャンバーボックス内に前記整流板の配置位置の高さの調整手段又は回転角度の調整手段の少なくとも一方を介して設けられてなるので、前記整流板によって、ダクトからの空調空気の気流を任意に変更させることができ、また整流板の配置位置の高さの調整や、角度の調整ができるので、当該装置の配置箇所の環境に合わせて調整することで、チャンバーボックス内の圧力を一定に均一に維持しやすく、負圧によって底板の吹出孔から吹き出す気流が中央に引き込まれることなく、誘引効果を高め確実に側板のスリットへ気流を送ることができる。
（４）また、前記（１）〜（３）のいずれかに記載の空気式輻射空調装置を、室内に設置されるベッドの上部に配置し、空調機にダクトで接続する空気式輻射空調システムにおいて、
前記吹出孔からの空調空気を、前記スリットからの気流に誘引させ斜め下方に流し、前記空気式輻射空調装置の真下方向への流出を少なくすることで、ベッドに横たわる人にはドラフトのない輻射方式の空調を、周囲の医療関係者や見舞いの人という代謝が多い人に対しては冷暖房能力の高い対流方式の空調を、それぞれ提供することができる。
【図面の簡単な説明】
【００１３】
【図１】本発明の空気式輻射空調装置の説明用外観斜視図
【図２】本発明の空気式輻射空調装置の平面図
【図３】本発明の空気式輻射空調装置の平面図のＸ−Ｘ断面図
【図４】本発明の空気式輻射空調装置の平面図のＸ−Ｘ断面図
【図５】輻射パネル本体の外観斜視図
【図６】本発明の空気式輻射空調装置の詳細図
【図７】本発明の空気式輻射空調装置の詳細図
【図８】本発明の空気式輻射空調装置の作用詳細図
【図９】本発明の空気式輻射空調装置を用いた空調システムを示す図
【図１０】空気式輻射空調装置と空調機とダクトとの接続を示す図
【図１１】従来の空調ユニットの構成を示す図
【図１２】従来の空調ユニットの構成を示す図
【図１３】従来の空調ユニットの構成を示す図
【図１４】整流板の回転角度による気流の向きの説明図
【発明を実施するための形態】
【００１４】
本発明の空気式輻射空調装置を実施するための形態を実施例の図に基づいて説明する。
図１は、本発明の空気式輻射空調装置の説明用外観斜視図、図２は本発明の空気式輻射空調装置の平面図、図３及び図４は本発明の空気式輻射空調装置の平面図のＸ−Ｘ断面図で、図３は整流板を導入口に近づけた状態、図４は図２の整流板を導入口から遠ざけた状態である。図５は、輻射パネル本体の外観斜視図である。
図中、１は空気式輻射空調装置、２はチャンバーボックス、３は輻射パネル本体、４は整流板、５は整流板取付部材である。また、２０はチャンバーボックス本体、２１はチャンバーボックスの上面部、２２はダクト接続部、２３は導入口、３１は底板、３２は側板、３３はスリット、３４は吹出孔、５１は上枠、５２は平板、５３はボルト、５４はナット、である。
本発明における空気式輻射空調装置１は、図に示すように、チャンバーボックス２と、輻射パネル本体３と、チャンバーボックス２内に設けられた整流板４とから構成される。
チャンバーボックス２は、下面が開放され、上面部２１にダクトが接続されるダクト接続部２２が設けられた直方体の本体２０からなり、該本体２０の上面部２１に設けられたダクト接続部２２は、空調機（図示せず）からの空調空気をチャンバーボックス２に供給するためダクトと接続され、空調空気は、前記ダクト接続部２２の導入口２３からチャンバーボックス２に導入される。
【００１５】
また、輻射パネル本体３は、前記チャンバーボックス２の解放された下面を塞ぐように同チャンバーボックス２に定着される。
前記輻射パネル本体３は、アルミ板などからなる四辺形の底板３１と、該底板３１の四辺に立設された側板３２とで構成され、該側板３２には、チャンバーボックス２内の空調空気を側方に流出させるスリット３３が設けられている。
前記スリット３３は、本発明の空気式輻射空調装置１の設置箇所に合わせて、四辺のうち一部又は全部の側板３２に形成される。例えば、空気式輻射空調装置１を壁近傍の天井に設置する場合には、壁側の側板３２に以外の三辺の側板にスリット３３を設け、また、室内の中央付近の天井に設置する場合には、四辺の側板３２にスリット３３を設ける。このようにすることで、壁にスリット３３からの空調空気が当たって、乱流を起こすのを防止し、また、気流がベッド上に流れるのを防止する構成となっている。
そして、前記スリット３３が設けられる側板３２は、底板３１に対して（前記底板３１の水平面と側板３２とが構成する角度）、４５〜９０度の角度をもって立設され形成される。
本実施の態様においては、前記側板３２は、前記底板３１から４５度の角度で上向き外側に立設されている。
前記角度は、４５〜９０度であることが好ましく、これは、４５度以下だとスリット３３から斜め下方に吹出される空調空気が側板３２近傍に設けられている底板３１の吹出孔３６から下方に吹出される空調空気を巻き込んで中央に集まり、縮流を生じることでドラフトが生じてしまうおそれがあるためであり、また、９０度を超えるとスリット３３から斜め上方に吹出される空調空気が天井にぶつかってしまい乱流を起こし室内全体の空調に支障が生じてしまうためである。
【００１６】
前記輻射パネル本体３を構成する底板３１は、前記チャンバーボックス２内の空調空気を下方に流出させる吹出孔３４が設けられている。吹出孔３４は、底板３１の全面又は相対する二辺の近傍の限定された部分に設けられる。
該相対する二辺の近傍の限定された部分とは、例えば輻射パネル本体３が長方形で形成されている場合には、相対する長辺に沿った所定幅の帯状部分のことである。所定幅は短辺の幅の１５％〜２５％が好ましく、２０％がより好ましい。
１５％以下だと、所定幅に必要な数の吹出孔３４を設けることが困難になるためである。
本発明は、前述のとおり側板３２にスリット３３が設けられ構成され、底板３１の吹出孔３４から下方に吹出される空調空気は、前記スリット３３からの気流によってスリット３３側に誘引され、斜め下方外向きに吹出されることを特徴としている。
したがって、ベッドの上部に空気式輻射空調装置１を配置する場合などは、相対する二辺の近傍にのみ吹出孔３４を設けることで、前記吹出孔３４からの空調空気を、スリット３３からの気流に誘引させ斜め下方に流し、真下方向への流出を少なくすることで、ベッド上の患者へのドラフトを防止する構成となっている。
なお、吹出孔３４の大きさ、ピッチ等は、空気式輻射空調装置１の大きさや、設置箇所の環境に合わせ、適宜変更できる。例えば、本実施の態様において、全面に吹出孔３４を設ける場合は、直径５ｍｍの吹出孔３４が千鳥状に等ピッチで設けられている。
また、前記輻射パネル本体３は、空調機から導入される空調空気により輻射熱を蓄積し、室内に前記輻射熱を放出する。
【００１７】
本発明の空気式輻射空調装置１のチャンバーボックス２内に設けられる整流板４は、前チャンバーボックス２の導入口２３の面積と同じあるいはやや大きく構成され、前記チャンバーボックス２内に設けられた整流板取付部材５にネジ等により回転角度を調整できるように固定される。
本実施の態様では、整流板４は正四角錐の形状からなり、整流板取付部材５の断面コ字状の上枠５１に平板５２をボルト５３とナット５４で取り付けて構成されている。これにより、整流板４のチャンバーボックス２内における配置位置の高さや、回転角度の調整が可能とし、整流板４と導入口２３との距離をボルト５３とナット５４で調整し、導入口２３からチャンバーボックス２内に送り込まれる空調空気の流速を任意に調整したり、整流板４を回転させ、チャンバーボックス２内に送り込まれる空調空気の気流の向きを調整する。
本実施の態様においては、図１４（ａ）に示すように、正四角錐からなる整流板４の底辺と輻射パネル本体３の底板３１の長辺（短辺）とがなす角度が４５度で取り付けられている。これにより、空調機からダクトを通りダクト接続部２２の導入口２３からチャンバーボックス２内に流入した空調空気は整流板４によってチャンバーボックス２の内部空間に均等にいきわたる。
説明を加えると、ダクト接続部２２から流入した空調空気は、整流板４の４つの各角錐面４ａ〜４ｄの案内によってチャンバーボックス２の内部空間の４つの各領域ａ〜ｄに均等に分配されてチャンバーボックス２の内部空間に均等に隅々までいきわたる。よって、輻射パネル本体の吹出孔３４からまんべんなく下方に吹出すことができる快適な空調効果を得ることができる。なお、整流板４を正四角錐から円錐に代えてもチャンバーボックス２の内部空間に均等に隅々にいきわたる。
もし、スリット３３から吹き出す空調空気を増やしたい要求がある場合には、図１４（ｂ）に示すように、上記の整流板４を４５度回動させ整流板４の底辺と輻射パネル本体３の底板３１の長辺（短辺）とが平行になるように取り付けてもよい。そうすると、ダクト接続部２２から流入した空調空気は、整流板４の４つの各角錐面４ａ〜４ｄの案内によってスリット３３のほうに向かいスリット３３から斜め下方に吹出し易くなる。
なお、本実施の態様においては、整流板４は正四角錐で形成しているが、ダクトから導入される空調空気を、直接輻射パネル本体３に流すことなく、チャンバーボックス２内に空調空気を送り、スリット３３方向へ気流を形成する形状であれば、限定されるものではない。
【００１８】
図６、図７は、本発明の空気式輻射空調装置の詳細図で、図８は、本発明の空気式輻射空調装置の作用詳細図である。
図６において、（ａ）は本発明の空気式輻射空調装置の一方側面の側面図、（ｂ）は他方側面の側面図、（ｃ）は輻射パネル本体３の平面図、（ｄ）は輻射パネルの底板に対する側板の立設状態を表す図である。
同図において、輻射パネル本体３の底板３１の全面に吹出孔３４を設け、側板３２は前記底板３１から９０度の角度（α＝９０度）で上向きに立設されている。また、前記一方側面の側板３２ａには、細長いスリット３３ａが２ヵ所、他方側面の側板３２ｂは、中間部部分にスリット３３ｂが４ヵ所設けられている。
なお、室内の壁側に位置する側の側板には、壁側に位置するスリットから壁側に吹く空気が壁を伝い下に降りてきてしまい患者の頭の上でドラフトになるのを避けるため、スリット３３を設けないのが好ましい。
また、スリット３３ｂは、前記他方側面の側板３２ｂの全長に渡って均等に設けず、中央付近に集めて形成されている。これは、全長に渡って均等に設けると誘引効果が薄れてしまい下方向に早い風速で空調空気が流れドラフトが生じてしまうことがあるからであり、本実施例のごとく、中央付近に設けた場合が最も誘引効果に優れている。
なお、前記スリット３３ａ、３３ｂの形状や個数及び設置位置については、本発明の空気式輻射空調装置１を配置する室内の大きさや設置箇所等を考慮して決められるものであり、本実施の態様に限定されるものではない。
【００１９】
図７において、（ａ）は本発明の空気式輻射空調装置を一方側面の側面図、（ｂ）は他方側面の側面図、（ｃ）は輻射パネル本体３の平面図、（ｄ）は輻射パネルの底板に対する側板の立設状態を表す図である。
図７は、輻射パネル本体３の底板３１の相対する２辺（長手側）近傍の限定された部分にのみ吹出孔３４を設けたもので、底板３１に設けられた吹出孔３４の数は、前記図６の底板３１に設けられた吹出孔３４と同じに構成されている。
また、側板３２は前記底板３１から４５度（α＝４５度）の角度で上向き外側に立設されている。
【００２０】
図８は、本発明の空気式輻射空調装置の作用詳細図である。同図を用いて、本発明の空気式輻射空調装置の作用について説明する。
空調機（図示せず）からダクト（図示せず）を通り前記ダクト接続部２２の導入口２３からチャンバーボックス２に導入された空調空気は、整流板４により、流れを調整され、一部は輻射パネル本体３の底板３１に設けられた吹出口３４からドラフトを生じることなく下方に吹出される。
また、空調空気の一部は、輻射パネル本体３の底板３１に形成された側板３２のスリット３３から斜め下方に吹出される。このとき、前記スリット３３からの気流が、前記側板３２の近傍に設けられている底板３１の吹出孔３４から下方に吹出される空調空気を誘引し一緒に斜め外向きに吹出し、ベッド７の外側を矢印８のように下方に流れて行く。
これにより、ドラフトを生じことがなく患者など在室者の空調快適感を満足させることが出来る。
【００２１】
【表１】
0006453017.tif 000002
【００２２】
表１は、パネルサイズ、パネル下面（底板）、パネル側面（側板）の相違による圧力損失、ベッド上（ＦＬ＋８００：床から８００mmの位置）の風速について比較した表である。
従来例は、チャンバーボックス内に潜熱蓄熱材を密封して、下面の金属製パネルを全面パンチング（パネル全面に空調空気の吹出孔を穿設）とした構成からなる。
本実施例Ａは、パネル下面（底板）に一部パンチング（パネルの相対する２辺近傍の限定された部分にのみ空調空気の吹出孔を穿設）を構成し、パネル側面（側板）にスリットを設け、パネル側面（側板）がパネル下面（底板）から９０度の角度で立設されている。  
本実施例Ｂは、パネル下面（底板）を全面パンチングで構成し、パネル側面（側板）にスリットを設け、パネル側面（側板）がパネル下面（底板）から４５度の角度で立設されている。
本実施例Ｃは、パネル下面（底板）の相対する二辺（長辺側の両側）近傍にのみパンチングを構成し、パネル側面（側板）にスリットを設け、パネル側面（側板）がパネル下面（底板）から４５度の角度で立設されている。
【００２３】
前記のように構成された空気式輻射空調装置を室内の天井に固定し、空調機からダクトで２４０ｍ３／ｈの風量で温度２０度の空調空気をチャンバーボックス内に送り、チャンバーボックスから下方に排出された空調空気の圧力損失、ベッド上（ＦＬ＋８００）の風速の測定結果を表す。
表１に示すように、従来例の風速（ＦＬ＋８００）は、腹部及び脇でドラフトを感じる０．１５ｍ／ｓを超えているが、本実施例Ａ〜Ｃのいずれも、頭部、腹部及び脇のいずれにおいても０．１５ｍ／ｓを下回っており、本実施例においては、ドラフトの発生を抑止できることがわかる。
【００２４】
次に本発明の空気式輻射空調装置を用いた空調システムについて説明する。
図９は、本発明の空気式輻射空調装置を用いた空調システムを示す図、図１０は上記空気式輻射空調装置と空調機とダクトとの接続を示す図である。
同図に示すように、９０は４人部屋の病室で、一般的にはベッド７が設置されている居室９０ａとロッカーや洗面台が設置されている補助室９０ｂから構成される。
図中、９２は空調機、９３はダクト、９４は吸込口、９５は病室の扉、９６は窓、９８は病室の天井、９９は廊下である。
同図において、本発明の空気式輻射空調装置１は、病室９０の天井９８に設置される。
本実施の態様における空気式輻射空調装置１を用いた病室の空調システムにおいては、空調空気が、空調機９２からダクト９３を通り空気式輻射空調装置１に送られ、送られた空調空気は空気式輻射空調装置１の導入口からチャンバーボックスに導入され、病室９０の居室９０ａに送られる。
前記空調空気は、前述のとおり、本発明の空気式輻射空調装置１を介することで、気流はドラフトを発生することなく居室９０ａに送られ、居室９０a内に供給された空調空気は、吸込口９４から吸い込まれ病室９０内から排出される。また輻射パネル本体３から、輻射熱が放出され、前記空調空気の気流とあわせ、患者にとって快適な居室を提供するものとなっている。
【符号の説明】
【００２５】
１  空気式輻射空調装置
２  チャンバーボックス
２０  チャンバーボックス本体
２１  チャンバーボックスの上面部
２２  ダクト接続部
２３  導入口
３  輻射パネル本体
３１  底板
３２  側板
３３  スリット
３４  吹出孔
４  整流板
５  整流板取付部材
５１  上枠
５２  平板
５３  ボルト
５４  ナット
７  ベッド
８  空調空気の流れ
９０  病室
９０ａ  居室
９０ｂ  補助室
９２  空調機
９３  ダクト
９４  吸込口
９５  病室の扉
９６  窓
９８  天井
９９  廊下
【図１】
0006453017.tif 000003
【図２】
0006453017.tif 000004
【図３】
0006453017.tif 000005
【図４】
0006453017.tif 000006
【図５】
0006453017.tif 000007
【図６】
0006453017.tif 000008
【図７】
0006453017.tif 000009
【図８】
0006453017.tif 000010
【図９】
0006453017.tif 000011
【図１０】
0006453017.tif 000012
【図１１】
0006453017.tif 000013
【図１２】
0006453017.tif 000014
【図１３】
0006453017.tif 000015
【図１４】
0006453017.tif 000016